【手続補正書】
【提出日】令和3年4月30日(2021.4.30)
【手続補正１】
【補正対象書類名】明細書
【補正対象項目名】０２１５
【補正方法】変更
【補正の内容】
【０２１５】
本明細書で説明、図示、および／または開示される例示的な実施形態は、特許請求の範囲を限定するものではなく、本発明の様々な態様に関して当業者に説示するものである。以下の特許請求の範囲および思想から逸脱することなく、他の実施形態を実行、および／または実施することができる。
本件出願は、以下の態様の発明を提供する。
（態様１）
1次緊急警報と対象となる地理的エリアの特定を含む緊急メッセージをクライアントデバイスから受信し、該緊急メッセージが有効かどうかを判断するように構成される通知サーバ；
該緊急メッセージの検証時に、該緊急メッセージを警報対応のデバイスに送信するように構成された送信システム；
を備え、
該警報対応のデバイスは、該緊急メッセージを受信し、該警報対応のデバイスが対象となる該地理的エリア内にあるか否かを判断し、該警報対応のデバイスが対象となる該地理的エリア内に存在する場合かつその場合に限り、ユーザに該緊急メッセージを提示するように構成される、警報システム。
（態様２）
警報のグループから前記1次緊急警報を選択し、対象となる前記地理的エリアを指定し、前記緊急メッセージを送信するように構成されたオペレーションセンターをさらに備える、態様１に記載の警報システム。
（態様３）
前記オペレーションセンターは、前記1次緊急警報を生成するように構成され、前記特定は、対象となる前記地理的エリアの下位区分を表す、態様２に記載の警報システム。
（態様４）
一連のブロードキャストを伝送するように構成された複数のチャンネルをさらに備える、態様１に記載の警報システム。
（態様５）
前記オペレーションセンターは、前記警報対応のデバイスにコマーシャルメッセージを送信するようにさらに構成され、前記警報対応のデバイスは、前記警報対応のデバイスが対象となる地理的エリア内にあるときに前記コマーシャルメッセージを受信するように構成される、態様４に記載の警報システム。
（態様６）
前記一連のブロードキャストが、前記緊急メッセージを含む、態様４に記載の警報システム。
（態様７）
前記緊急メッセージは複数のパケットとして送信され、前記警報対応デバイスは、前記複数のパケットを処理して、前記緊急メッセージを構築するように構成される、態様５に記載の警報システム。
（態様８）
前記警報対応のデバイスは、自身の地理的位置情報を決定し、該地理的位置情報を保存するように構成されている、態様１に記載の警報システム。
（態様９）
前記警報対応のデバイスは、前記警報対応のデバイスが保存された地理的位置情報に基づいて、対象となる前記地理的エリア内にあるか否かを判断するように構成される、態様８に記載の警報システム。
（態様１０）
前記警報対応のデバイスは、位置情報を分析し、分析された位置情報に基づいて、前記警報対応のデバイスが対象となる前記地理的エリア内にあるか否かを判断するように設計される、態様８に記載の警報システム。
（態様１１）
前記警報対応のデバイスは、前記警報対応のデバイスに通信可能に近接する他のデバイスから位置情報を取得するように構成される、態様８に記載の警報システム。
（態様１２）
前記警報対応のデバイスは、ホストデバイスに埋め込まれ、前記緊急メッセージを受信すると該ホストデバイスを起動し、前記1次緊急警報を提示した後に前記ホストデバイスを停止するように構成される、態様１に記載の警報システム。
（態様１３）
前記警報対応のデバイスは、有線または無線信号を受信するように構成された、ＧＰＳ対応携帯電話またはポータブルコンピュータである、態様１に記載の警報システム。
（態様１４）
地理的に対象を絞った警報メッセージを検証する方法であって、
警報発信者から1次緊急警報を受信するステップ；
第1の地理的位置情報によってオペレータの権限を確認することにより、該1次緊急警報を検証するステップ；と
検証された前記1次緊急警報と地理的位置メッセージを前記警報対応のデバイスに送信するステップと、を含む、方法。
（態様１５）
前記警報対応のデバイスによって、検証された前記1次緊急警報と前記地理的位置メッセージを受信するステップ；
前記地理的位置メッセージに基づいて、前記警報対応のデバイスが対象となる地理的エリア内にあるか否かを判断するステップ；と、
前記警報対応のデバイスが対象となる前記地理的エリア内にある場合かつその場合に限り、検証された前記1次緊急警報を表示するステップ、をさらに含む、態様１４に記載の方法。
（態様１６）
検証された前記1次緊急警報と、対象となる地理的エリアを特定する前記地理的位置メッセージを複数の警報対応のデバイスに送信するステップ；
前記複数の警報対応のデバイスによって、検証された前記1次緊急警報と前記地理的位置メッセージを受信するステップ；とをさらに含み、
前記警報対応のデバイスの第1の部分は、対象となる前記地理的エリア内に位置し、前記警報対応のデバイスの第2の部分は、対象となる前記地理的エリア外に位置する、態様１４に記載の方法。
（態様１７）
前記警報対応のデバイスの前記第１の部分のみが、検証された前記1次緊急警報を表示する、態様１６に記載の方法。
（態様１８）
通信を対象とする方法であって、
警告メッセージを送信するステップ；
該警告メッセージの対象となる地理的エリアを表す、地理的エリアメッセージを送信するステップ；
一意の識別子を送信するステップ；と、
前記警報メッセージ、前記地理的エリアメッセージ、および前記一意の識別子を受信するステップ、を含む、方法。
（態様１９）
前記受信するステップにおいて、警報対応のデバイスは、該警報対応のデバイスが対象となる前記地理的エリア内にあるか否かに基づいて前記警報メッセージを表示するか否かを決定する、態様１８に記載の方法。
（態様２０）
前記受信するステップにおいて、警報対応のデバイスは、該警報対応のデバイスが対象となる前記地理的エリア内にあるか否かに基づいて、かつさらに一意の識別子に基づいて、前記警報メッセージを表示するか否かを決定する、態様１８に記載の方法。
（態様２１）
前記警報メッセージと、対象となる前記地理的エリアと、を表示するステップをさらに含む、態様１８に記載の方法。
（態様２２）
前記警報メッセージはコマーシャルメッセージであり、警報対応のデバイスは、前記一意の識別子に基づいて、前記コマーシャルメッセージを表示するか否かを決定する、態様１８に記載の方法。
（態様２３）
対象となる前記地理的エリアから避難するように、ユーザに指示するステップをさらに含む、態様１８に記載の方法。
（態様２４）
前記指示するステップは、避難経路に沿った交通状況を提供するステップを含む、態様２３に記載の方法。
（態様２５）
通信を対象とする方法であって、
メッセージと一組の診断クエリを送信するステップ；
警報対応のデバイスによって、該メッセージと該一組の診断クエリを受信するステップ；
該警報対応のデバイスに保存されている情報に基づいて、該診断クエリへの応答を決定するステップ；と、
該応答に基づいて、該警報対応のデバイスに前記メッセージを表示するか否かを決定するステップ、を含む、方法。
（態様２６）
データベースを有するクリアリングハウス；
該クリアリングハウスに発信メッセージを受信させるための第1のインターネットベースのインターフェイス；
複数のセルブロードキャストセンター；
該クリアリングハウスと該複数のセルブロードキャストセンター間の第2のインターネットベースのインターフェイス；と
該複数のセルブロードキャストセンターへのセルラーインターフェイスを備える、大量通知ネットワーク。
（態様２７）
前記第1のインターネットベースのインターフェイスは、Common Alerting Protocolに従って構成される、態様２６に記載の大量通知ネットワーク。
（態様２８）
前記セルブロードキャストセンターは、前記発信メッセージをブロードキャストするためのセルラータワーを選択するように構成される、態様２７に記載の大量通知ネットワーク。
（態様２９）
前記クリアリングハウスは、前記発信メッセージに関連する権限と管轄区域を検証するように構成される、態様２８に記載の大量通知ネットワーク。